(57)【特許請求の範囲】
【請求項１】
設置面に設置可能な設置板と、該設置板に一端を掛け止め固定され、かつ指標部を設けた他端を設置板の側方に伸縮可能に配置した計測板とを備え、該計測板の他端の伸縮変位を介して、計測板の計測部を設置板の垂直方向へ湾曲変位可能にした頚椎高さ測定器において、前記計測板の他端を設置板に移動可能に掛け止める摩擦により、前記湾曲変位が維持され、設置板の両端部に掛け止められる計測板の離間した二位置は、前記湾曲変位時に一定距離に保持されることを特徴とする頚椎高さ測定器。
【請求項２】
前記計測板を設置板の垂直方向へ湾曲変位可能にした請求項１記載の頚椎高さ測定器。
【請求項３】
前記設置板の両端部に切欠溝と一対の掛止片を設け、これらに計測板の二位置を掛け止め可能にした請求項１記載の頚椎高さ測定器。
【請求項４】
前記設置板と計測板を別設した請求項１記載の頚椎高さ測定器。
【請求項５】
前記設置板に内面板と表面板を重合し、それらの中間部に計測板の計測部を収容する開口部を設けた請求項１記載の頚椎高さ測定器。
【請求項６】
内面板と表面板を前記計測板の一端と他端に重合し、内面板の開口縁を計測板に係合可能に配置した請求項５記載の頚椎高さ測定器。
【請求項７】
前記内面板に一対のストッパを起立可能に設け、該ストッパを前記表面板の開口縁に係合可能に設けた請求項５記載の頚椎高さ測定器。
【請求項８】
前記計測板の他端の縮小変位を介して、計測板の計測部の湾曲変位を漸増可能にした請求項２記載の頚椎高さ測定器。
【請求項９】
前記設置板と計測板の展開形状を一のシート状体に切り取り可能に配置した請求項１記載の頚椎高さ測定器。
【請求項１０】
前記シート状体は薄厚の紙製である請求項９記載の頚椎高さ測定器。
【発明の詳細な説明】
【技術分野】
【０００１】
本発明は、枕を選定する際の頚椎の高さ測定に好適で、簡単な構成で容易かつ安価に製作できるとともに、小形軽量で簡便かつ正確に測定でき、しかも測定時の安定性を向上し得るようにした頚椎高さ測定器に関する。
【背景技術】
【０００２】
睡眠は疲労回復に重要であり、快適な睡眠と質の高い睡眠を得るためには、睡眠に使用する枕は使用者の体格や体形に応じた最適なものを使用する必要がある。
なかでも、頚椎の高さに由来する枕の高さは快適な睡眠を得るために重要であり、枕の選定に際して使用者の頚椎の高さを知ることが必要になることから、このための頚椎高さ測定器に関する提案が種々なされている。
【０００３】
例えば、椅子の背板に相当する垂直基板の後部に支持部材を張り出し、該支持部材に立設した支柱の上端部に水平ガイドバーを配置し、該ガイドバーに摺動部材をスライド可能に取付け、該摺動部材にスライドバーを上下に摺動可能に取付け、スライドバーの下端に前方に屈曲した計測体を設け、該計測体の計測基準点からの水平および垂直移動距離を表示する表示手段を備え、被測定者を椅子に着座させ、被測定者の肩甲骨に垂直基板を当接し、スライドバーを前後および上下に移動して、計測体の先端部を被測定者の後頭部の頚椎部に接触し、計測体の基準位置からの水平および垂直移動距離を基に、頚部から後頭部にかけての曲線形状を数値化する頭部計測器がある（例えば、特許文献１参照）。
【０００４】
しかし、この頭部計測器は、椅子の背板に相当する垂直基板と、該基板の上方に水平および垂直移動可能な計測体と、表示手段を要し、それらの構成が複雑で精密性を要する上に堅牢に構成しているため、大形重量化し製作費が高価になる上に計測時に計測体を水平および垂直移動させるため、計測が煩雑で手間が掛かるという問題があった。
【０００５】
前記問題を解決するものとして、縦部材の下端部に横部材を直角に取付けて逆Ｔ字形状に形成し、その下部に目盛を設けるとともに、縦部材の中間部に装着孔を形成し、該装着孔に板状の測定部材を挿入可能に設け、計測時に被測定者が立位姿勢になり、横部材を被測定者の両肩の肩甲骨部に水平に当接し、縦部材の上部を被測定者の後頭部に当てて測定部材を装着孔に挿入し、その先端部を頚椎部に押し当て、縦部材からの測定部材の突出長さを目盛で計測して、頚椎高さを測定する頚椎高さ測定器がある（例えば、特許文献２参照）。
【０００６】
しかし、前記測定器の横部材や縦部材、測定部材は何れも堅牢に構成され、大形重量化して製作費が高価になる上に、計測時に横部材や縦部材、測定部材の操作を要するため人手を要し、一人で簡便に計測することができないという問題があった。
【０００７】
このような問題を解決するものとして、薄厚の板体を細長に形成し、その両端部に摘み片を設け、その内側に細長の延長片と長尺の折り返し片とを設け、延長片に複数の透孔を目印として形成し、該延長片の内側に底辺を延設し、該底辺と折り返し片の内側端部に境界線として折り曲げ線を形成し、このうち折り返し片の境界線の中間部に通し孔を設け、該通し孔の中央に前記透孔に差し込み可能な小突起を設け、前記境界線の内側に台形形状の二つの辺を配置し、それらの中央に境界線として折り曲げ線を形成し、この扁平な板体を折り曲げて頚椎高さ測定器を組み立てている。
【０００８】
その組み立てに際しては、前記扁平な板体の底辺と折り返し片を境界線に沿って内側に折り曲げ、延長片の先端部の摘み片を通し孔に挿入して外側に突出し、内側の二つの辺を境界線に沿って折り曲げて山形に形成し、この二つの辺の直下に前記底辺を配置して二等辺三角形に形成し、該辺の外側に位置する透孔に小突起を挿入して前記三角形を維持し、該三角形の外側に二つの摘み片を突出して配置している。
【０００９】
前記測定器を用いて頚椎高さを測定する場合は、被測定者が床若しくは敷布団に仰向けになり、または壁に沿って立位し、後頭部と床若しくは敷布団または壁の間に適宜高さの試験台を挿入して後頭部を支持し、床若しくは敷布団または壁と頚椎部との間に前記測定器を挿入し、二つの摘み片を外側に引っ張り、延長片をスライドさせて二つの辺を隆起し、その境界線の計測点を上昇させ頚椎に接触させたところで前記操作を停止し、小突起を透孔に挿入し、その透孔の位置によって頚椎の高さを一人で測定するようにしたものがある（例えば、特許文献４参照）。
【００１０】
前記測定器は構成が簡単で安価に製作でき、一人で簡便に測定できるが、目視不可能な二つの摘み片を両手で加減しながら引っ張り操作するため、計測点の上昇速度が比較的早く頚椎部に接触してしまい、計測値の正確性を得られない上に、両辺が折り返し片と延長片を押圧して、それらの円滑なスライド動作を阻止するため、再測定を余儀無くされ、結果的に測定時間が掛かるという問題があり、また両辺の起立変位に伴って両辺を支持する底面側の折り返し片の長さが短小になって、起立変位した両辺が不安定になり、被測定者の姿勢によって転倒してしまう惧れがあり、しかも透孔のピッチが粗いため小突起と透孔との挿入位置が計測点と頚椎部との接触時期に合致しなくなり、測定値の信頼性が低下する等の問題があった。
【先行技術文献】
【特許文献】
【００１１】
【特許文献１】特許第２９６７４７３号公報
【特許文献２】実用新案登録第３１０８４６２号公報
【特許文献３】特開２００２−３３６２１７号公報
【発明の開示】
【発明が解決しようとする課題】
【００１２】
本発明はこのような問題を解決し、枕を選定する際の頚椎の高さ測定に好適で、簡単な構成で容易かつ安価に製作できるとともに、小形軽量で簡便かつ正確に測定でき、しかも測定時の安定性を向上し得るようにした頚椎高さ測定器を提供することを目的とする。
【課題を解決するための手段】
【００１３】
請求項１の発明は、設置面に設置可能な設置板と、該設置板に一端を掛け止め固定され、かつ指標部を設けた他端を設置板の側方に伸縮可能に配置した計測板とを備え、該計測板の他端の伸縮変位を介して、計測板の計測部を設置板の垂直方向へ湾曲変位可能にした頚椎高さ測定器において、前記計測板の他端を設置板に移動可能に掛け止める摩擦により、前記湾曲変位が維持され、設置板の両端部に掛け止められる計測板の離間した二位置は、前記湾曲変位時に一定距離に保持され、計測板の他端の伸縮操作によって計測部を変位させ、計測板の両端部を伸縮させる場合に比べて簡便に操作できるとともに、計測部を安定かつゆっくり変位させて確実かつ正確に測定でき、しかも設置板の両端部に掛け止められる計測板の離間した二位置を、計測板の湾曲変位時に一定距離に保持させて安定性を向上し、測定時の被測定者の姿勢によって転倒する事態を防止し得るようにしている。
請求項２の発明は、計測板を設置板の垂直方向へ湾曲変位可能にし、被測定者の頚椎に対する接触をソフトかつ快適に行なえるようにしている。
【００１４】
請求項３の発明は、設置板の両端部に切欠溝と一対の掛止片を設け、これらに計測板の二位置を掛け止め可能にし、計測板の二位置を安定して掛け止め、計測板の測定時の安定性を向上するようにしている。
請求項４の発明は、設置板と計測板を別設し、これらを一体に構成した場合に比べて、それらの構成を簡潔化して容易に製作し得るようにしている。
請求項５の発明は、設置板に内面板と表面板を重合し、それらの中間部に計測板の計測部を収容する開口部を設け、設置板の安定性と強度を向上するとともに、計測板の安定した変位を得られるようにしている。
請求項６の発明は、内面板と表面板を前記計測板の一端と他端に重合し、内面板の開口縁を計測板に係合可能に配置し、内面板の開口縁と計測板の摩擦によって、計測板の変位を保持し、頚椎の高さ測定後の計測板の変位を正確に維持して、正確な測定値を得られるようにしている。
【００１５】
請求項７の発明は、内面板に一対のストッパを起立可能に設け、該ストッパを前記表面板の開口縁に係合可能に設け、計測板の変位による表面板の変位や変形を防止し得るようにしている。
請求項８の発明は、計測板の他端の縮小変位を介して、計測板の計測部の湾曲変位を漸増可能にし、計測板の他端の縮小変位によって計測板が縮小変位するものに比べて、計測板の操作を簡便に行なえるようにしている。
請求項９の発明は、設置板と計測板の展開形状を一のシート状体に切り取り可能に配置し、この種測定器の構成を簡潔にし、これを容易かつ安価に製作できるようにしている。
請求項１０の発明は、シート状体は薄厚の紙製で、この種測定器の小形軽量化と低廉化を図るようにしている。
【発明の効果】
【００１６】
請求項１の発明は、計測板の他端を設置板に移動可能に掛け止める摩擦により、前記湾曲変位が維持され、設置板の両端部に掛け止められる計測板の離間した二位置は、前記湾曲変位時に一定距離に保持されるから、計測板の他端の伸縮操作によって計測部を変位させ、計測板の両端部を伸縮させる場合に比べて簡便に操作できるとともに、計測部を安定かつゆっくり変位させて確実かつ正確に測定でき、しかも設置板の両端部に掛け止められる計測板の離間した二位置を、計測板の湾曲変位時に一定距離に保持させて安定性を向上し、測定時の被測定者の姿勢によって転倒する事態を防止することができる。
請求項２の発明は、計測板を設置板の垂直方向へ湾曲変位可能にしたから、被測定者の頚椎に対する接触をソフトかつ快適に行なうことができる。
請求項３の発明は、設置板の両端部に切欠溝と一対の掛止片を設け、これらに計測板の二位置を掛け止め可能にしたから、計測板の二位置を安定して掛け止め、計測板の測定時の安定性を向上することができる。
【００１７】
請求項４の発明は、設置板と計測板を別設したから、これらを一体に構成した場合に比べて、それらの構成を簡潔化し容易に製作することができる。
請求項５の発明は、設置板に内面板と表面板を重合し、それらの中間部に計測板の計測部を収容する開口部を設けたから、設置板の安定性と強度を向上できるとともに、計測板の安定した変位を得られる効果がある。
請求項６の発明は、内面板と表面板を前記計測板の一端と他端に重合し、内面板の開口縁を計測板に係合可能に配置したから、内面板の開口縁と計測板の摩擦によって、計測板の変位を保持し、頚椎の高さ測定後の計測板の変位を正確に維持して、正確な測定値を得られる効果がある。
請求項７の発明は、内面板に一対のストッパを起立可能に設け、該ストッパを前記表面板の開口縁に係合可能に設けたから、計測板の変位による表面板の変位や変形を防止することができる。
【００１８】
請求項８の発明は、計測板の他端の縮小変位を介して、計測板の計測部の湾曲変位を漸増可能にしたから、計測板の他端の縮小変位によって計測板が縮小変位するものに比べて、計測板の操作を簡便に行なうことができる。
請求項９の発明は、設置板と計測板の展開形状を一のシート状体に切り取り可能に配置したから、この種測定器の構成を簡潔化し、これを容易かつ安価に製作することができる
請求項１０の発明は、シート状体は薄厚の紙製であるから、この種測定器の小形軽量化と低廉化を図ることができる
【図面の簡単な説明】
【００１９】
【図１】本発明を適用した頚椎高さ測定器の斜視図である。
【図２】図２の正面図である。
【図３】図２の平面図である。
【図４】図３のＡ−Ａ線に沿う拡大断面図である。
【００２０】
【図５】図２の底面図である。
【図６】本発明の主要部の展開状態を印刷したシート状体を示す正面図で、測定器の組み立て方法と計測方法の詳細を省略して示している。
【図７】シート状体から本体と計測板を切り取り、計測板の先端部を本体の切欠溝に挿入し、他端部を掛止片の間に差し込んだ状況を示す正面図である。
【００２１】
【図８】シート状体から本体と計測板を切り取り後、計測板の先端部を本体の切欠溝に挿入し、本体の内面板と表面板を折り曲げ途中の状況を示す斜視図である。
【図９】本発明の測定器を被測定者の頚椎部の下に挿入して測定している状況を示す説明図である。
【図１０】図９の要部を拡大して示す説明図である。
【図１１】図１０の要部を測定器の直交方向から見た説明図である。
【発明を実施するための最良の形態】
【００２２】
以下、本発明を図示の実施形態について説明すると、図１乃至図１１において１は薄厚のシート部材からなる頚椎高さ測定器で、該測定器１は本体２と、該本体２の内部に摺動可能に収容した計測板３とで構成されている。
実施形態ではシート部材として板厚０.２０〜０.５４ｍｍ、望ましくは０.３６ｍｍの紙を使用し、これを所定形状に切断し若しくは刳り貫き、折り曲げて頚椎高さ測定器１を組み立てている。
【００２３】
前記本体２は小高で細長中空の箱形に形成され、その設置板である底面を床面、畳、敷布団等の設置面４に設置可能にしている。
実施形態の本体２の形状寸法は、縦６ｍｍ、横３４.５ｍｍ、奥行２００ｍｍの箱形に形成され、その上面に横長矩形の通孔５が形成され、該通孔５の長さ方向の両側部に舌片状のストッパ６，６が起立形成されている。
前記通孔５は後述のシート状体の外形線に沿ってミシン目が形成され、該ミシン目に沿って通孔５を切り取り可能にされている。
【００２４】
前記本体２の底面の一側に細長の切欠溝７ないし切欠孔が形成され、該切欠溝７に計測板３の先端部３ａが挿入されて掛け止められ、その掛け止め状態の安定のために、底面からの突出部を接着または粘着テープ８を貼り付けて固定している。
前記本体２の底面の他側に略Ｕ字形の一対の切欠部９が対称に形成され、これらをその切り込み線に沿って内側に折り曲げて一対の掛止片１０を形成し、該掛止片１０，１０の間に計測板３を差し込み、その側端縁に係合可能にしている。
【００２５】
前記計測板３は長尺で等幅の細長矩形に形成され、その寸法は幅１６ｍｍ、長さ２６０ｍｍに形成され、その先端部３ａが縮径されて前記切欠溝７に挿入可能にされている。
前記先端部３ａの後部は拡径されて切欠溝７の開口縁に係合可能に形成され、切欠溝７に対する先端部３ａの挿入位置を規制している。前記切欠溝７はその外形線に沿ってミシン目が形成され、該ミシン目に沿って切欠溝７を刳り抜き可能にされている。
【００２６】
前記計測板３の他側端部に指標部３ｂが設けられ、該指標部３ｂは５つの区域に区画され、それらの区域に２乃至６の数値を表示し、大きい数値は小さな数値に比べて頚椎の高さＨが高いことを表示している。
前記区域の幅は大きい数値ほど幅広に形成され、計測板３の湾曲形状によって頚椎の高さＨが高くなるほど、区域の幅が幅広に形成されている。
前記指標部３ｂの外側に保持部３ｃが設けられ、保持部３ｃを保持して計測板３を本体２の内外方向へ押し引き操作可能にしている。
【００２７】
図中、１１は被測定者で、その後頭部１１ａと設置面４との間にフェイスタオル等の支持部材１２を挿入し、その支持高さを２ｃｍ程度に形成可能にしていて、設置面４と頚椎部１１ｂとの間に測定器１を挿入している。１３は本体２上面の一端に設けた矢印形状の表示部で、計測板３の計測結果を教示させている。
【００２８】
この他、図中、１４は展開状態の本体２と計測板３とを隣接して印刷した矩形のシート状体で、前記板厚のＡ４サイズの紙で構成され、前記本体２と計測板３の外形線にミシン目が切り込まれ、該ミシン目に沿ってそれらを切り取り可能にしている。
前記シート状体１４の中間部に、破線で記した４本の折り曲げ線１５〜１８が互いに平行に記され、これらに沿って山折りに折り曲げて本体２の表面板２ａと内面板２ｂと前記底面板の設置板２ｃとを区画形成している。
【００２９】
前記シート状体１４の上端部に、頚椎高さ測定器１の後述する組み立て方法を記した組み立て記述欄１９を設け、シート状体１４の側端部に後述する頚椎高さ測定器１の測定方法を記した測定方法記述欄２０を設けている。図中、２１は左右のストッパ６の折り曲げ線、２２は表面ａと内面板２ｂの重合部の角部に貼り付けた成形用の粘着テープである。
【００３０】
このように構成した本発明の頚椎高さ測定器は、薄厚の紙製のシート状体１４に本体２と計測板３が展開状態で印刷され、組み立て前はシート状体１４が扁平かつ小形軽量に構成されているから、取り扱いに至便である。
【００３１】
次に、前記頚椎高さ測定器１を組み立てる場合は、シート状体１４の組み立て記述欄１９の記載に基き、シート状体１４から本体２と計測板３をその外形線に形成したミシン目に沿って切り取る。
このうち、本体２は通孔５の外形線に形成したミシン目に沿って切り抜き、切欠溝７をその外形線に形成したミシン目に沿って刳り抜くとともに、切欠部９，９をその切り込み線に沿って内側に折り曲げ、一対の掛止片１０を折り曲げる。
この後、前記切り取った本体２を裏返し、前記切り抜いた切欠溝７に計測板３の先端部３ａを差し込み、その差し込み部の内側または外側に粘着テ−プ８を貼り付けて差し込み部を固定し、この他端を前記折り曲げた掛止片１０，１０の間に係入する。この状況は図５および図７のようである。
【００３２】
この状況の下で折り曲げ線１５〜１８を内側に折り曲げ、設置板２ｃと側面を区画形成するとともに、折り曲げ線２１，２１に沿ってストッパ６，６を上向きに折り曲げる。
この後、内面板２ｂを内側に折り曲げ、次に表面板２ａを内側に折り曲げて内面板２ｂ上に重合し、その重合部の角部に適宜粘着テープ２２を貼り付けて密着固定し、ストッパ６，６を通孔５の開口縁に係合すれば、頚椎高さ測定器１の一連の組み立てが終了する。
【００３３】
このように頚椎高さ測定器１の組み立ては、シート状体１４から本体２と計測板３を切り取り、本体２の通孔５と切欠溝７を切り抜き、掛止片１０，１０を折り曲げ、前記切欠溝７に計測板３の先端部を挿入して固定し、他端を掛止片１０，１０の間に係入して、本体２の外側に突出する。
この後、折り曲げ線１５〜１８を折り曲げて表面板２ａと内面板２ｂと設置板２ｃを区画形成し、内面板２ｂに表面板２ａを重合し、この重合箇所を適宜固定する簡単な作業であるから、前記組み立てを簡便に行なえる。
【００３４】
こうして組み立てた頚椎高さ測定器１は図１のようで、本体２が薄厚の箱形に形成され、その上面に通孔５が開口され、その両側の開口縁にストッパ６，６が起立して係合し、通孔５の内部に計測板３が上下動かつ摺動可能に収容され、該計測板３の先端部が本体２の側方に突出している。このように前記測定器１は小形軽量であるから、その持ち運びや取り扱いに至便である。
【００３５】
前記測定器１を用いて被測定者１１の頚椎の高さを測定する場合は、例えばフェイスタオル等の支持部材１２を用意し、これを２ｃｍ程度の高さに折り畳んで置く。また、測定器１の測定前は、計測板３の保持部３ｃを本体２の外側へ引き出し、大半の計測部を本体２内部に収容して置く。
【００３６】
このような状況の下で、被測定者１１が床や畳等の設置面４上に仰向けになり、設置面４と後頭部１１ａとの間に前記高さに調整した支持部材１２を挿入して後頭部１１ａを支持し、設置面４と頚椎部１１ｂとの間の空スペ−スに前記測定器１を挿入する。
その際、本体２の長さ方向を被測定者１１の身体方向と直交するように配置し、計測板３を本体２の一方向に押し引き操作可能に配置するから、被測定者１１の利き腕側に計測板３の保持部３ｃが位置するように配置することが望ましい。
【００３７】
こうして、測定器１を頚椎部１１ｂの直下に安定して設置したところで、被測定者１１が計測板３の保持部３ｃを保持し、これを本体１側へ押圧する。
このようにすると、計測板３の先端部３ａが粘着テープ８で固定され、他端部が掛止片１０，１０に係合して側方への移動を規制され、前記切欠溝７と掛止片１０，１０を基点に通孔５の外側へ突出して湾曲変位する。
【００３８】
その際、計測板３は保持部３ｃによる一方向への押圧力ないし操作力によって湾曲変位するから、両側から押圧しまたは操作する場合に比べて、ゆっくり湾曲変位し頚椎部１１ｂとの接触時期を正確かつ精度良く確認でき、頚椎部１１ｂの高さ測定を正確に行なえる
【００３９】
そして、計測板３の湾曲部の上端部が頚椎部１１ｂに接触したところで、前記計測板３の操作を停止し、頚椎部１１ｂの高さＨが測定される。
測定後、被測定者１１が計測板３から移動して頚椎部１１ｂとの接触を解除し、表示部１３直近の指標部３ｂの数値を目視して、被測定者１１の頚椎の高さＨを知り得る。
その際、計測板３は一端部が粘着テープ８で固定され、他側端部が掛止片１０，１０に係合し、その摩擦によって計測板３の測定時の湾曲変位が維持されるから、安定した計測値が得られ、その信頼性を得られる。
【００４０】
このように、本発明の測定器１は、計測板３の他端を設置板１２ｃの一方向へ伸縮可能に設け、該計測板３の離間した二位置、すなわち切欠溝７と掛止片１０，１０を設置板１２ｃの両端部に掛け止め、前記二位置を基点に変位可能にしているから、計測板３の片側端部の伸縮操作によって計測部を変位させ、計測板３の両端部を伸縮操作するものに比べて簡便に操作できるとともに、計測部を安定かつゆっくり変位させて確実かつ正確に測定できる。
しかも、計測板３を二位置を基点に変位させ、変位時の二位置を一定距離に保持しているから、安定性が向上し、測定時に被測定者の姿勢によって転倒する事態を防止し得るようにしたものである。
【００４１】
なお、以上の実施形態では測定器１を設置面４に設置し、被測定者１１が仰向けの姿勢で測定しているが、例えば前記測定器１の設置板２ｃに両面接着テープを取付け、被測定者１１が壁面に沿って立位し、その頚椎部１１ｂと壁面との間に測定器１を挿入して測定器１を仮止め、この後計測板３を前述のように操作すれば、立位姿勢で頚椎部１１ｂの高さＨを測定し得る。
【００４２】
また、前述の実施形態では本体２を箱形に形成しているが、箱形の代わりに表面板２ａと内面板２ｂと設置板２ｃとを重合して折り畳んだ板状に形成することも可能であり、そのように構成することによって構成が簡単になり、また計測板３に対する摩擦が増加して測定時の計測板３の変位を維持し、安定した測定値を得られる。
【産業上の利用可能性】
【００４３】
このように本発明の頚椎高さ測定器は、簡単な構成で容易かつ安価に製作できるとともに、小形軽量で簡便かつ正確に測定でき、しかも測定時の安定性を向上し得るから、枕を選定する際の頚椎の高さ測定に好適である。
【符号の説明】
【００４４】
１                      測定器
２ａ                    表面板
２ｂ                    内面板
２ｃ                    設置板
３                      計測板
３ｂ                    指標部
４                      設置面
６                      ストッパ
７                      切欠溝
１０                    掛止片
１４                    シート状体
【図１】
0006412746.tif 000002
【図２】
0006412746.tif 000003
【図３】
0006412746.tif 000004
【図４】
0006412746.tif 000005
【図５】
0006412746.tif 000006
【図６】
0006412746.tif 000007
【図７】
0006412746.tif 000008
【図８】
0006412746.tif 000009
【図９】
0006412746.tif 000010
【図１０】
0006412746.tif 000011
【図１１】
0006412746.tif 000012